(57)【特許請求の範囲】
【請求項１】
固定位置の無線送受信機局において使用するためのタワー搭載可能な無線周波帯増幅器装置であって、
前記固定位置の無線送受信機局において用いる無線周波数信号を増幅する増幅器と、
外部の供給源から給電電流を受けると共に、前記増幅器の電力供給動作用に前記給電電流を供給するための給電電流経路と、
前記給電電流経路と接続された電流の変調器とを有し、
前記変調器は、前記装置に係るシリアル番号、前記装置に係るフィルタ周波数についての情報、前記増幅器に係る利得についての情報、及び前記装置に係る警報の限度のうち、少なくとも一つを含む前記装置についての複数の２進ビットを含む情報を受けるための入力を有し、かつ、前記給電電流経路における前記外部から供給される給電電流を前記情報に応じて変調し、前記２進ビットのそれぞれのグループを表す複数の電流レベルを前記給電電流経路に生成する動作が可能である、タワー搭載可能な無線周波帯増幅器装置。
【請求項２】
前記変調器が、選択された量の電流を前記給電電流経路から選択的に吸い込む、前記給電電流経路と接続された制御可能な電流吸い込み装置を有する、請求項１記載の装置。
【請求項３】
前記制御可能な電流吸い込み装置が前記給電電流経路と接続されたトランジスタ回路を有する、請求項２記載の装置。
【請求項４】
請求項２記載の装置において、
前記情報は、デジタル・データで供給され、
前記変調器は、前記デジタル・データを受けるデジタル入力と前記制御可能な電流吸い込み装置の制御入力に接続されたアナログ出力とを有するデジタル−アナログ変換器を有する、装置。
【請求項５】
その中に前記デジタル・データを記憶して有すると共に、前記デジタル−アナログ変換器の前記デジタル入力と接続されたデジタル・データ出力を有するメモリを有する、請求項４記載の装置。
【請求項６】
前記メモリが不揮発性メモリ回路を有する、請求項５記載の装置。
【請求項７】
前記メモリのアドレス入力と接続されたカウント出力を有するカウンタ回路を有する、請求項５記載の装置。
【請求項８】
請求項１記載の装置において、
前記無線周波数信号を搬送するための、前記増幅器と接続された無線周波数信号経路を有し、
前記給電電流経路が前記無線周波数信号経路の部分を含んでいる、装置。
【請求項９】
固定位置の無線送受信機局であって、
前記固定位置の無線送受信機局において用いる無線周波数信号を増幅する増幅器を有するタワー搭載増幅器装置と、
前記タワー搭載増幅器装置から離れて位置するさらなる装置であって、前記増幅器と接続された、その間の無線周波数信号用の無線送受信機と、前記タワー搭載増幅器装置へ給電電流を供給する給電部とを有する、さらなる装置と、
前記給電部と前記タワー搭載増幅器装置との間に接続され、前記給電電流を前記タワー搭載増幅器装置へ搬送する給電電流経路と、
前記給電電流経路に接続され、前記タワー搭載増幅器装置に係るシリアル番号、前記タワー搭載増幅器装置に係るフィルタ周波数についての情報、前記増幅器に係る利得についての情報、及び前記タワー搭載増幅器装置に係る警報の限度のうち、少なくとも一つを含む前記タワー搭載増幅器装置についての複数の２進ビットを含む情報を受ける入力を有し、前記給電電流経路の前記給電電流を前記情報に応じて変調し、前記２進ビットのそれぞれのグループを表す複数の電流レベルを前記給電電流経路に生成する動作が可能である、電流の変調器とを有する固定位置の無線送受信機局。
【請求項１０】
前記給電電流経路に接続され、前記給電電流の変調を検出すると共に、それから前記タワー搭載増幅器装置についての前記情報を判断する装置を、前記さらなる装置が有する、請求項９記載の装置。
【請求項１１】
前記固定位置の無線送受信機局がＧＳＭネットワークで用いるための無線基地局である、請求項９記載の装置。
【請求項１２】
固定位置の無線送受信機局に設けたタワー搭載無線周波帯増幅器装置を動作させる方法であって、
前記増幅器装置の外部の供給源から前記増幅器装置の電力供給動作に使用するための給電電流を前記増幅器装置が受ける過程と、
前記増幅器装置に係るシリアル番号、前記増幅器装置に係るフィルタ周波数についての情報、前記増幅器装置に係る利得についての情報、及び前記増幅器装置に係る警報の限度のうち、少なくとも一つを含む前期増幅器装置についての複数の２進ビットを含む情報を供給する過程と、
前記増幅器装置の外部の転送先へ前記情報を転送する過程であって、前記外部から供給された給電電流を前記情報に応じて変調する過程を含み、前記変調する過程は、前記２進ビットのそれぞれのグループを表す複数の電流レベルを外部から供給された給電電流中に生成する過程を含む過程とを有する方法。
【請求項１３】
請求項１２記載の方法において、
前記受ける過程は、前記増幅器装置が給電電流経路を介して外部から供給された給電電流を受ける過程を含み、
前記変調する過程は、選択された量の電流を前記給電電流経路から選択的に吸い込む過程を含む、方法。
【請求項１４】
前記選択的に吸い込む過程が前記給電電流経路に接続されたトランジスタ回路を動作させる過程を含む、請求項１３記載の方法。
【請求項１５】
請求項１３記載の方法において、
前記供給する過程は、前記情報をデジタル・データで供給する過程を含み、
前記変調する過程は、前記デジタル・データをアナログ信号に変換する過程と、前記アナログ信号を用いて前記選択的に吸い込む過程における選択された量の電流を判断する過程とを含む、方法。
【請求項１６】
前記供給する過程が前記デジタル・データをメモリから得る過程を含む、請求項１５記載の方法。
【請求項１７】
前記得る過程が複数のアドレスのそれぞれを前記メモリのアドレス入力に対して適用する過程を含む、請求項１６記載の方法。
【発明の詳細な説明】
【０００１】
【発明の属する技術分野】
本発明は、広く固定位置の無線送受信機局（fixed-site radio transceiver stations）に関し、より具体的には固定位置の無線送受信機局におけるデータ転送に関する。
【０００２】
【従来の技術及び発明が解決しようとする課題】
無線通信ネットワークで用いられる従来の固定位置の無線送受信機局（無線基地局（base transceiver stations）ないし基地局（base stations）とも呼ばれる）においては、一般に、無線アンテナと付随増幅器（associated amplifier）が、高所設置箇所の最上部でタワー構造に搭載され、かつ、無線周波数（ＲＦ(radio frequency)）フィーダ・ケーブル（feeder cable）を介して無線基地局の残部（remainder）と接続されている。そのＲＦフィーダ・ケーブルは、従来より、直流の給電電流をタワー搭載増幅器（ＴＭＡ(tower mounted amplifier)）へ供給することにも利用されている。
【０００３】
図１は、上述した従来の無線基地局（例えば、従来からあるＧＳＭ（Global System for Mobile communications）無線通信ネットワークで用いられる無線基地局）の一例を示したブロック図である。図１の例は、基地局のタワー搭載増幅器１１が基地局の残部１３とＲＦフィーダ・ケーブル１５によって接続されたものを示している。残部部分１３は、タワー搭載増幅器ＴＭＡで使用するための直流給電電流を供給するＴＭＡ給電部１７を有している。また、残部部分１３は、いわゆる“バイアス・ティー”（“bias Tee”）モジュール１９も有しており、この“バイアス・ティー”モジュール１９は、ＴＭＡ給電部１７と接続され、かつ、ＲＦ信号経路（RF signalling path）１２とも接続されている。ＲＦ信号経路１２は、基地局の無線送受信機（ＸＣＶＲ）へ順次接続する。
【０００４】
バイアス・ティー・モジュール１９は、ＲＦ信号経路１２からのＲＦ信号とＴＭＡ給電部１７からの直流給電電流の両者をＲＦフィーダ・ケーブル１５中に結合する在来の装置である。ＲＦフィーダ・ケーブル１５は、ＲＦ信号と直流給電電流をタワー搭載増幅器ＴＭＡへ供給する。また、残部部分１３のバイアス・ティー・モジュール１９は、ＲＦフィーダ・ケーブル１５を介して受信されるＲＦ信号をＲＦフィーダ・ケーブル１５中の給電電流から分離することも行う。ここにいうバイアス・ティー・モジュールは、当業者にはよく知られた在来の装置である。
【０００５】
タワー搭載増幅器１１もバイアス・ティー・モジュール１９を有している。このタワー搭載増幅器１１が有するバイアス・ティー・モジュール１９は、ＲＦフィーダ・ケーブル１５中の直流給電電流からＲＦ信号を分離すると共に、ＲＦフィーダ・ケーブル１５に直流給電電流を搬送させつつ、そのＲＦフィーダ・ケーブル１５を通じて信号経路１４からのＲＦ信号を残部部分１３へ返送することを可能にする。このバイアス・ティー・モジュール１９は、直流給電電流をタワー搭載増幅器ＴＭＡのローカル給電部１６へ供給する。ローカル給電部１６は、タワー搭載増幅器ＴＭＡに必要な直流給電電流を供給する。
【０００６】
図１に例示したような従来の無線基地局において、タワー搭載増幅器ＴＭＡは、残部部分１３のＴＭＡ給電部１７からタワー搭載増幅器１１によって引き入れられている給電電流の変化を検出することにより、ＴＭＡ内で生じるであろう故障を通常は残部部分１３において検出できるように、構成されているのが一般的である。かかる電流の変化は、従来より、データ・プロセッサ２０によって検出されている。データ・プロセッサ２０は、Ａ／Ｄ変換器２１からデジタル入力を受け、Ａ／Ｄ変換器２１のアナログ入力は、ＴＭＡ給電部１７の直流給電電流出力２４と接続されている
【０００７】
タワー搭載増幅器ＴＭＡは、タワー搭載アンテナにより受信されたＲＦ信号（Ｒｘ）を適切に増幅するために、ＲＦ信号経路１４とタワー搭載アンテナとに接続された増幅器ＡＭＰを有している。アンテナにより送信されるＲＦ信号（Ｔｘ）は、一般に、アンテナ送信の前に、フィルタリングされ、かつ、ブースタ（booster）へと印加される。かかるフィルタとブースタの機能は、在来の増幅器ユニットＡＭＰ内に設けることができる。図１のタワー搭載増幅器ＴＭＡは、それと共にＴＭＡパラメータ・データと関連付けられる。ここで、ＴＭＡパラメータ・データとは、例えば、積の情報（product information）、シリアル番号（serial numbers）、フィルタ周波数の情報、増幅利得の情報、警報の限度（alarm limits）等のようなＴＭＡに係る情報を表し得るデータである。図１に例示したような固定位置の無線送受信機局（あるいは少なくともそのＴＭＡ）が新たに備え付けられるときには、ＴＭＡパラメータ・データを残部部分１３に（例えばデータ・プロセッサ２０に）手入力するのが通例である。しかし、新たなタワー搭載増幅器ＴＭＡを追加する場合、あるいは、既存のＴＭＡを取り換える場合には、その追加ないし取換をしたＴＭＡに係るパラメータ・データを固定位置送受信機の残部部分１３へ手入力しなければならず、都合が悪い。これは、コストもかかるし時間もかかる。
【０００８】
上述したことに鑑みると、新たなタワー搭載増幅器ＴＭＡあるいは取り換えたタワー搭載増幅器をいつ備え付けようとも、ＴＭＡパラメータ・データを無線基地局の残部部分１３に手入力することによる遅滞や経費を払拭することが望まれる。
【０００９】
【課題を解決するための手段】
本発明によれば、タワー搭載増幅器が、当該タワー搭載増幅器と残部部分との間を結ぶ給電電流経路を利用して、当該タワー搭載増幅器のパラメータ・データを無線基地局の残部部分へ自動的に伝えることができる。
【００１０】
【発明の実施の形態】
図２は、本発明に基づく無線基地局の一例の関連部分を概略的に例示した図である。図２の無線基地局は、例えばＧＳＭネットワークにおいて使用することができるものであり、タワー搭載増幅器（ＴＭＡ）部分２３と残部部分２５を有している。図２のタワー搭載増幅器部分２３は、バイアス・ティー・モジュール１９とローカル給電部１６との間に接続された給電電流変調器２２を有している。変調器２２は、ＴＭＡパラメータ・データを用いて、タワー搭載増幅器部分２３により（ＲＦフィーダ１５を通じて）ＴＭＡ給電部１７から引き入れられる（drawn）給電電流を変調する。
【００１１】
ＴＭＡ給電部１７から引き入れられる給電電流は、ＴＭＡ給電部出力２４と接続されたＡ／Ｄ変換器２１によって監視され、かつ、そのＡ／Ｄ変換器のデジタル出力は、そのＡ／Ｄ変換器と接続されたデータ・プロセッサ２７へ入力される。データ・プロセッサ２７は、Ａ／Ｄ変換器から受けたデジタル・データを解釈し、それによって、ＴＭＡ給電部１７から引き入れられたＴＭＡ給電電流上に変調器２２で変調された通りのＴＭＡパラメータ・データを復元する。これにより、Ａ／Ｄ変換器２１とデータ・プロセッサ２７は、ＴＭＡパラメータ・データをＴＭＡ給電電流上に変調された通りに検出しかつ復号化する。
【００１２】
図２の給電電流変調器２２は、変調器２２へ入力されるＴＭＡパラメータ・データに応じて、ＴＭＡ給電部１７から引き入れられる給電電流を明確に区別される（distinct）複数の電流レベル間で変動させる。ＴＭＡパラメータ・データは、様々な電流レベルを用いて表される。ＴＭＡパラメータ・データを表すのに用いる様々な電流レベル間の差をＡ／Ｄ変換器２１が正確に分解識別できるようにすることを確保するため、Ａ／Ｄ変換器２１で捉えられる電流レベルのうちで隣接するものは、既知の最小限度量の分だけは互いに離隔しているものとするのが望ましい。２つの電流レベル間の採用可能な最も小さい離隔間隔（separation）は、（１）Ａ／Ｄ変換器２１と、（２）ＴＭＡ給電部１７をＡ／Ｄ変換器２１と結ぶ電流経路２８中に含まれる図示せぬ在来の信号調整回路（signal conditioning circuits）の、精密度の仕様に依存する。
【００１３】
例えば、Ａ／Ｄ変換器により捉えられる電流レベルが、ＴＭＡ給電部１７により出力される実際の電流レベルのプラスマイナス７ｍＡの不確かな範囲（uncertainty range）内にあると予想できるものと想定する。また、この例に対して、ＴＭＡパラメータ・データを転送するために８個の明確に区別される電流レベルを用いるものと想定する。すると、隣接する電流レベル間の適切な離隔間隔は、最も高い電流レベルから最も低い電流レベルを減算すると共に、その結果を８で除算することにより、計算することができる。前述したプラスマイナス７ｍＡの不確かな範囲は、隣接する電流レベル間の前述した離隔間隔の計算にプラスマイナス１４／８ｍＡ（＝プラスマイナス１．７５ｍＡ）の誤差をもたらす。このため、電流レベルの離隔間隔を計算するときは、合計でプラスマイナス８．７５ｍＡ（プラスマイナス７ｍＡプラスマイナス１．７５ｍＡ）の不確かさを考慮しなければならない。
【００１４】
さらに、この例に対して、Ａ／Ｄ変換器が３．５ｍＡ／stepの最大ステップ・サイズ（maximum step size）を有すると想定すると、前述したプラスマイナス８．７５ｍＡの範囲に対しては、Ａ／Ｄ変換器のプラスマイナス３ステップ分が必要になる。このため、ＴＭＡデータ転送において用いるそれぞれの電流レベルは、好ましくは、当該電流レベルの上のＡ／Ｄ変換器の少なくとも３ステップ分と当該電流レベルの下のＡ／Ｄ変換器の少なくとも３ステップ分とに及ぶ電流レベルの決定間隔（decision interval）の中央にする必要がある。この例では、一つの追加ステップを隣接する間隔の間に加えて、隣接する間隔の離隔間隔を保証する。
【００１５】
図３は、ＴＭＡパラメータ・データの転送において用いる電流レベルの上述した例を示した図である。図３中に示すように、各電流レベル３１は、当該各電流レベルの上の３ステップと当該各電流レベルの下の３ステップとに及ぶ間隔中の中央とされ、かつ、それぞれの間隔は、それぞれの隣接する間隔から１ステップのギャップ分だけ離隔されている。したがって、それぞれの電流レベルは、次の隣接する電流レベルから７ステップ分だけ離隔しており、この離隔した７ステップ分は、この例においては２４．５ｍＡ（７ステップx３．５ｍＡ／step）に相当する。
【００１６】
図４は、図２の給電電流変調器２２の動作に応じて、ＴＭＡ給電部１７から引き入れられる（ＴＭＡ給電部１７により出力される）給電電流ｉＴＭＡを表す電流波形の例を示した図である。図４のグラフは８個の電流レベルを例示しており、これによって８個の利用可能な信号シンボル（signalling symbols）が与えられる。図４の例において、ｉｎは、正常な従来からの動作状態の下でタワー搭載増幅器部分２３により引き入れられる基準（nominal）ＴＭＡ給電電流を表し、他の電流レベルは、上述した２４．５ｍＡの離隔間隔によって定義される。図４においては、最も高い電流レベルであるｉｎ＋１７１．５ｍＡがスタート・シンボル（start symbol）を表し、基準電流レベルｉｎがストップ（ないしアイドル）・シンボル（stop (or idle) symbol）を表す。この例においては、（０〜７で示されている）８シンボル時間（eight symbol times）がスタート・シンボルとストップ・シンボルの間にあるので、８個の離隔したシンボルを含むシンボル・オクテット（a symbol octet）をスタート・シンボルとストップ・シンボルの間の時間中に転送することができる。シンボル時間（symbol times）の採用可能な最短長は、Ａ／Ｄ変換器２１の動作速度とＲＦフィーダ・ケーブル１５及び経路２８により課される制限とによって定まる。
【００１７】
また、本発明によれば、ＴＭＡパラメータ・データの変調と関連させて多数レベルの符号化（multiple level coding）を利用することもできる。例えば、図４の８個の電流レベルを用い、それぞれの電流レベルが図４中に示したように３ビットのシンボルを表すものとすることができる。これにより、図４においては、シンボル時間０の間に伝送されるシンボルが１１０に対応し、シンボル時間１の間に伝送されるシンボルが１０１に対応し、シンボル時間２の間に伝送されるシンボルが１１０に対応し、シンボル時間３の間に伝送されるシンボルが０１１に対応し、シンボル時間４の間に伝送されるシンボルが１１１に対応し、シンボル時間５の間に伝送されるシンボルが０００に対応し、シンボル時間６の間に伝送されるシンボルが００１に対応し、シンボル時間７の間に伝送されるシンボルが０１１に対応する。したがって、この例において受信されるビットのパターンは、１１０１０１１１００１１１１１０００００１０１１となる。このような多数レベルの符号化は、データの処理量（throughput）を大幅に増大させ、かつ、データ・プロセッサ２７により容易に解釈することができる。ここで、データ・プロセッサ２７は、例えば、デジタル信号処理装置、マイクロプロセッサ、あるいは、他の適切なデータ処理装置とすることができる。
【００１８】
図５は、本発明に基づく代表的な無線基地局（無線の送受信機基地局）を概略的に例示した図である。図５は、図２と同様の構成を示し、かつ、図２の給電電流変調器２２の具体的な一例を含んでいる。図５の代表的な給電電流変調器は、図４に例示したデータ転送のシンボル・レート（symbol rate）に対応する周波数を有するクロック５１を具備している。クロック５１は、カウンタ５３のクロック入力へ接続されている。カウンタ５３は、メモリ５５のアドレス入力Ａ０〜Ａ７へ接続されたパラレル出力を有している。メモリ５５は、例えば、不揮発性メモリ回路（non-volatile memory circuit）とすることができる。メモリ５５は、Ｄ／Ａ変換器５８の各データ入力へ接続されたデータ出力Ｄ０〜Ｄ２を有している。これら３つのデータ出力Ｄ０〜Ｄ２は、図４の例における８個の電流レベルに対応している。前記Ｄ／Ａ変換器のアナログ出力Ａｏｕｔは、トランジスタ回路５９の制御入力５２へ接続されており、トランジスタ回路５９は、所望量の電流を吸い込む（流す（sink））ことができ、かつ、それによってＴＭＡ給電部１７から引き入れる電流を変化させることができる。
【００１９】
タワー搭載増幅器ＴＭＡについてのパラメータ・データはメモリ５５に記憶されると共に、この記憶されたパラメータ・データはカウンタ回路５３によってアドレス指定される。クロック回路５１に応答して、カウンタ５３は、ＴＭＡパラメータ・データがメモリ５５に格納されているアドレスの最初から最後までを順次カウント進行する。図４のデータ転送例を引き続き参照すると、メモリ５５の３ビット出力は、Ｄ／Ａ変換器５８により、８個の明確に区別される制御信号（例えば制御電圧）に変換することができる。それら８個の明確に区別される制御信号により、トランジスタ回路５９が８個の明確に区別される量の電流を吸い込み、これによる結果として、ＴＭＡ給電部１７から引き入れられ、かつ、Ａ／Ｄ変換器２１により捉えられる、８個の明確に区別される給電電流レベル（図４参照）が生じる。制御可能な電流吸い込み（current sink）として、符号５９でトランジスタ回路を示したが、他の制御可能な電流吸い込みも適宜同様に利用することができる。
【００２０】
クロック回路５１は、完全なメッセージのために必要とされるアドレスの番号までカウンタ回路５３にカウントを行わせる。カウンタ回路５３のパラレル出力によりアドレス指定されるそれぞれの記憶場所について、それぞれの記憶場所に係るデータのビットがＤ／Ａ変換器５８へ出力され、Ｄ／Ａ変換器５８がそのビット・パターンをトランジスタ回路５９を制御するための制御信号に変換する。ただし、この例において、図４のストップ・シンボル（ないしアイドル・シンボル）０００では、正常な従来通りの動作電流ｉｎがＴＭＡ給電部１７から引き入れられるように、トランジスタ回路５９が高インピーダンス状態（high impedance state）になるものとみなすことにする。カウンタ５３は、電源オンでリセットされると共に、ストップ・シンボルを出力した後にも有効にリセットされる。図４のシンボルのシーケンス、すなわち、ストップ・シンボルからストップ・シンボルまでに対応するアドレスのシーケンスを最初から最後まで順次カウントするように前記カウンタをプログラムすることは容易である。また当然のことだが、図４中に示したシンボル・オクテットのようなシンボル・オクテット（及びそれに係るスタート・シンボルとストップ・シンボル）を任意の所望数だけ伝送するための、如何なる所望のアドレスのシーケンスでも、その任意所望のアドレスのシーケンスを最初から最後まで順次カウントするように前記カウンタをプログラムすることができる。リセット・カウントとしてはストップ・シンボルを選択し、カウンタがリセットされる間に符号５９の所で電流が吸い込まれないようにするのが好ましい。クロック５１は、電源オン（ないしシステム再始動）で動作を開始するものとすることができ、かつ、ストップ・シンボルが出力された後に動作を停止するものとすることができる。
【００２１】
データ・プロセッサ２７は、以下に述べる代表的な形態により、Ａ／Ｄ変換器２１のデジタル出力を処理することができる。図４も併せて参照すると、スタート・シンボル（１１１）が検出される前では、データ・プロセッサ２７は、例えば、Ａ／Ｄ変換器２１のデジタル出力に対して５倍のオーバーサンプリング（a five times oversampling）を実行することができる。アイドル・シンボルからスタート・シンボルへの変化が検出されると、前記データ・プロセッサは、データ転送において残されたシンボル（remaining symbols）について、図４中に例示した連続するシンボル期間（symbol periods）０〜７のそれぞれの中央にサンプリング点を設定する。Ａ／Ｄ変換器２１からのデジタル出力（この例では３ビットの出力）は、それぞれのサンプリング点でデータ・プロセッサ２７により読み取られる。データ・プロセッサ２７がストップ・シンボルを検出した時（この例ではシンボル期間７の後）には、５倍のオーバーサンプリングを再び開始することができる。データ・プロセッサ２７がストップ・シンボルを受けた後に、データ・プロセッサ２７は、例えば、図４を参照して上に説明した形態により、メッセージを組み立てることができる。
【００２２】
タワー搭載部分から残部部分への上述したＴＭＡパラメータ・データの転送は、例えば、タワー搭載増幅器ＴＭＡの電源投入ないし再始動がいつ行われようとも、実行することが可能である。
【００２３】
また、留意すべき点として、上述した電流変調の手法は、給電／ＲＦ兼用のフィーダ線（combined power supply/RF feeder line）１５ではなく、給電専用の線（dedicated power supply line）における電流に対しても適用することができる。
【００２４】
図６は、図５の給電電流変調器の例によって実行される代表的な動作を例示した図である。電源オンないし再始動の後に、６１でカウンタ５３がメモリ５５に対して初期アドレス（例えば、第１番目のシンボル・オクテットに係るスタート・シンボルのアドレス）を適用する。その後の６３において、メモリ５５がアドレス指定されたデータをＤ／Ａ変換器５８へ出力する。６５において、Ｄ／Ａ変換器は、そのデジタル・データを、トランジスタ回路５９を制御するためのアナログの制御信号に変換する。６７において、トランジスタ回路５９は、Ｄ／Ａ変換器から受けた制御信号に応じた量の電流を吸い込む（そしてこれにより、メモリ５５から出力されたデジタル・データに応じた量でもある電流が吸い込まれることになる。）。６９でさらに伝送すべきデータがあると判断される場合には、それからカウンタ５３の出力が６８で次のアドレスにインクリメントされると共に、６９ですべてのデータ（最後のアイドル・シンボルを含むすべてのデータ）が伝送されたと判断されるまで、前記手順が繰り返される。
【００２５】
上述した形態において、適切にプログラムされたデータ処理装置を用いてＤ／Ａ変換器５８へデジタル・データを入力することとしても、制御可能な電流吸い込みを容易に制御することができるのは、当業者にとっては容易に理解できるところである。
【００２６】
上述したことからすれば、本発明は、給電電流の変調を利用してＴＭＡパラメータ・データの自動的な転送を有効に実現可能とすると共に、さらに多数レベルの符号化を用いることによってデータの処理量を高めることが分かる。
【００２７】
本発明の代表的な実施形態を上に詳細に説明したが、これは本発明の範囲を限定するものではなく、本発明は多種多様な実施形態によって具現化することができる。
【図面の簡単な説明】
【図１】  無線通信システムで使用するための従来の無線基地局の関連部分を例示した図である。
【図２】  本発明に基づく無線基地局の一例の関連部分を例示した図である。
【図３】  図２のタワー搭載増幅器に係るパラメータ・データを図２のＲＦフィーダ・ケーブル上で伝送するのに用いる複数の基準給電電流レベルを例示した図である。
【図４】  データを符号化した多数のレベルを図２のＲＦフィーダ上で伝送するために図３の電流レベルを如何にして用いることができるかを例示した図である。
【図５】  図２の給電電流変調器の具体的な一例を含む図２と同様の構成を示した図である。
【図６】  図２及び図５の給電電流変調器によって実行することができる代表的な動作を流れ図の形式で例示した図である。
【符号の説明】
１２  ＲＦ信号経路
１４  信号経路
１５  ＲＦフィーダ・ケーブル
１６  ローカル給電部
１７  ＴＭＡ給電部
１９  バイアス・ティー・モジュール
２１  Ａ／Ｄ変換器
２２  給電電流変調器
２３  タワー搭載増幅器部分
２４  直流給電電流出力
２５  残部部分
２７  データ・プロセッサ
２８  電流経路
【図１】
0004557427.tif 000002
【図２】
0004557427.tif 000003
【図３】
0004557427.tif 000004
【図４】
0004557427.tif 000005
【図５】
0004557427.tif 000006
【図６】
0004557427.tif 000007